(57)【要約】【課題】トップシート及びボトムシートとパーティクルボードが十分に接着され、接着強度が十分なパーティクルボードを内部空間に収納した床パネル、並びに、床パネルの製造方法を提供する。【解決手段】  スパイク加工を施した板状のパーティクルボードと、パーティクルボードの一方の板面に接着されるトップシートと、パーティクルボードの他方の板面に接着されるボトムシートとから、床パネルを構成した。【選択図】図１
2015068016.tif 000002
【特許請求の範囲】
【請求項１】
スパイク加工が施された板状の芯材と、
前記芯材の一方の板面に接着されるトップシートと、
前記芯材の他方の板面に接着されるボトムシートから構成される床パネル。
【請求項２】
前記芯材がパーティクルボードであることを特徴とする請求項１記載の床パネル。
【請求項３】
板状の芯材にスパイク加工を施す工程と、
前記板状の芯材とトップシート並びにボトムシートを接着剤で貼り合わせる工程と、
前記トップシートの端部と前記ボトムシートの端部を結合することにより、前記トップシートとボトムシートを一体化する工程からなる
床パネル製造方法。
【請求項４】
前記芯材がパーティクルボードであることを特徴とする請求項３記載の床パネル製造方法。
【発明の詳細な説明】
【技術分野】
【０００１】
本発明は、フリーアクセスフロアを構成する床パネルのうち、パーティクルボードなどの芯材を内部空間に収納した床パネルに関するものである。
【背景技術】
【０００２】
フリーアクセスフロアは、コンクリートスラブ上に一定間隔で支持脚を設置し、床パネルの四隅がそれぞれ支持脚に固定されることにより構成される二重床である。
【０００３】
フリーアクセスフロアに用いられる床パネルの一つであるパーティクルボードを使用した床パネル６０は、トップシート７０とボトムシート８０の二枚の金属板と、トップシート７０とボトムシート８０で挟まれる内部空間に収納される木質系の板状の芯材であるパーティクルボード９０からなる。
【０００４】
トップシート７０とボトムシート８０とパーティクルボード９０は共にプレスで成形される。
【０００５】
トップシート７０は、四隅に調整台に載置する取付け部７２と、トップシート７０とボトムシート８０を一体化するためのボトムシート８０の端部と結合する結合部７４以外は略平板に形成されている。
【０００６】
ボトムシート８０は、トップシート７０と結合する結合部８２が形成されるとともに、パーティクルボード９０を収納すべく、箱型に形成される。
【０００７】
また、パーティクルボード９０も、トップシート７０とボトムシート８０で囲まれる内部空間に収納するのに適当な大きさの板状にプレスで成形される。
【０００８】
そして、両面に接着剤を塗布したパーティクルボード９０を、トップシート７０とボトムシート８０で挟み、トップシート７０とボトムシート８０の結合部７４，８２同士をプレスで巻く等して結合することにより、トップシート７０とボトムシート８０とパーティクルボード９０が一体化して、床パネル６０は完成する。
【先行技術文献】
【特許文献】
【０００９】
【特許文献１】特開2008-180020号公報
【発明の概要】
【発明が解決しようとする課題】
【００１０】
トップシート及びボトムシートのパーティクルボードと接着される面は略平板であり、また、パーティクルボードのトップシート及びボトムシートと接着される面も略平板であることから、接着剤が入り込む隙間がなく、接着がうまく行かないことがある。
【００１１】
そこで、本発明は、上記の問題点に鑑みて、トップシート及びボトムシートとパーティクルボードが十分に接着され、パネル強度が十分な、パーティクルボードを内部空間に収納した床パネル、並びに床パネルの製造方法を提供することを課題とするものである。
【課題を解決するための手段】
【００１２】
本発明は、上記課題を解決するためになされたものであり、
スパイク加工が施された板状のパーティクルボードと、
前記パーティクルボードの一方の板面に接着されるトップシートと、
前記パーティクルボードの他方の板面に接着されるボトムシートとから構成される床パネルである。
【００１３】
また、本発明の床パネルの製造方法は、
パーティクルボードにスパイク加工を施す工程と、
パーティクルボードとトップシート並びにパーティクルボードとボトムシートを接着剤で貼り合わせる工程と、
トップシートの端部とボトムシートの端部を結合することにより、トップシートとボトムシートを一体化する工程からなるものである。
【発明の効果】
【００１４】
このような本発明によれば、
スパイク加工が施された板状のパーティクルボードと、前記パーティクルボードの一方の板面に接着されるトップシートと、前記パーティクルボードの他方の板面に接着されるボトムシートとから床パネルを構成することにより、
スパイク加工が施されたことによりパーティクルボードに接着剤が入り込む隙間ができるため、トップシート及びボトムシートとパーティクルボードが十分に接着されパネル強度が十分な、パーティクルボードを内部空間に収納した床パネルを提供することができる。
【図面の簡単な説明】
【００１５】
【図１】本発明の実施の形態における床パネルの全体図であり、（ａ）が正面図、（ｂ）が側面図、（ｃ）が背面図である。
【図２】スパイク加工について説明するための図である。
【図３】スパイク加工が施されたパーティクルボード４０を表す図である。
【図４】従来の床パネルの全体図であり、（ａ）が正面図、（ｂ）が側面図、（ｃ）が背面図である。
【図５】従来の床パネルの芯材に用いられるパーティクルボードを表す図である。
【発明を実施するための最良の形態】
【００１６】
以下、本発明を実施するための最良の形態について、図面に基づいて具体的に説明する。
【００１７】
図１は、パネルの全体図である。
【００１８】
本実施の形態においても、トップシート１０とボトムシート２０とパーティクルボード４０は共にプレスで成形される。
【００１９】
トップシート１０は、四隅に調整台に載せる部分である取付け部１２、トップシート１０とボトムシート２０を一体化するためのボトムシート２０の端部と結合する結合部１４以外は略平板に形成されている。
【００２０】
ボトムシート２０は、トップシート１０と結合する結合部１４が形成されるとともに、パーティクルボード４０を収納すべく、箱型に形成される。
【００２１】
また、パーティクルボード４０も、トップシート１０とボトムシート２０で囲まれる内部空間に収納するのに適当な大きさの板状にプレスで形成され、トップシート及びボトムシートとの接着前に、トップシート１０と接着する一方の板面と、ボトムシート２０と接着する他方の板面とに、図２のように、先端が尖った多数の突起５２を有するスパイク用治具５０でパーティクルボードをプレスする、いわゆるスパイク加工が施される。
【００２２】
そして、両面に接着剤を塗布したパーティクルボード４０に、トップシート１０とボトムシート２０を貼り合わせた状態で、トップシート１０とボトムシート２０の端部をプレスで巻く等して結合することにより、トップシート１０とボトムシート２０とパーティクルボード４０を一体化して、床パネル２は完成される。
【００２３】
このように、スパイク加工が施されたパーティクルボードと、パーティクルボードの一方の板面に接着されるトップシートと、パーティクルボードの他方の板面に接着されるボトムシートとから床パネルを構成することにより、
スパイク加工が施されたことによりパーティクルボードに接着剤が入り込む隙間ができるため、トップシート及びボトムシートとパーティクルボードが十分に接着されパネル強度が十分な、パーティクルボードを内部空間に収納した床パネルを提供することができる。
【００２４】
トップシート及びボトムシートとパーティクルボードが十分に接着されることにより、二重床にパネルが設置された後、パネルに荷重が掛かる際にトップシート及びボトムシートとパーティクルボードの間に剪断力が生ずるので、パネルの十分な強度を保つことができる。
【００２５】
また、パーティクルボード４０とトップシート１０及びボトムシート２０が十分接着されることにより、床パネル２の養生に必要な期間も短くなるので、生産性も向上する。
【００２６】
本実施の形態では、パーティクルボードを芯材とする床パネルについて説明したが、パーティクルボード以外の芯材を用いてもかまわない。
【００２７】
また、本実施の形態では、トップシートが略平板であり、ボトムシートが箱型に形成される床パネルについて説明したが、トップシート及びボトムシートを共に箱型に成形し結合するなど、トップシートとボトムシートの結合箇所及び結合方法を問わないのは言うまでもない。
【００２８】
スパイク加工を施すのはパーティクルボードの両面でなく、片面であってもかまわない。
【００２９】
また、トップシートとボトムシートを結合し、トップシートとボトムシートとパーティクルボードが一体化し、床パネルが完成した後、さらに、スパイク加工を施してもよい。
【符号の説明】
【００３０】
２  床パネル
１０  トップシート
１２  取付け部
１４  結合部
２０  ボトムシート
２２  結合部
４０  パーティクルボード
５０  スパイク用治具
５２  突起
６０  床パネル
７０  トップシート
７２  取付け部
７４  結合部
８０  ボトムシート
８２  結合部
９０  パーティクルボード
【図１】
2015068016.tif 000003
【図２】
2015068016.tif 000004
【図３】
2015068016.tif 000005
【図４】
2015068016.tif 000006
【図５】
2015068016.tif 000007